(57)【要約】【課題】パチンコ遊技島の高さを低くできるパチンコ玉搬送装置とする。【解決手段】パチンコ台の間隔に対応する長さを有するユニット補給樋１０をパチンコ台列方向に並べる。各ユニット補給樋１０は、側壁１１を平行に配置した空間にヒンジピン１７を支点として揺動可能の複数の単位樋板２０ａ、２０ｂ、・・・を長手方向に並べるとともに、各単位樋板の前フランジ２３の下縁を順次交互に押し上げ可能のカムローラ３３を備えるカム支持軸３０をモータ５３で回転駆動することにより、隣接する単位樋板を交互に揺動させて、揺動により傾斜した単位樋板から隣接の水平姿勢の単位樋板へパチンコ玉を移動させることを順次繰り返す。パチンコ台列の末端まで延ばした１本の補給樋を傾斜させるものと比較して、長さの短い単位樋板２０の傾斜高さは低くて済み、搬送装置全体の高さ寸法を小さくすることができる。【選択図】図３
2007229094.tif 000002
【特許請求の範囲】
【請求項１】
複数のパチンコ台を並べた遊技島の上部においてパチンコ台列方向にパチンコ玉を搬送するパチンコ玉の搬送装置であって、
それぞれ所定長さのユニット補給樋をパチンコ台列方向に並べ、
前記ユニット補給樋は、２つの側壁の間に水平姿勢から揺動可能とした単位樋板を配置するとともに、該単位樋板を揺動させる駆動機構を備えて、
隣接する単位樋板が順次揺動して、該揺動により傾斜した単位樋板から隣接の水平姿勢の単位樋板へパチンコ玉を移動させることを順次繰り返すように構成したことを特徴とするパチンコ玉の搬送装置。
【請求項２】
前記単位樋板は前記側壁と平行な横フランジを備え、該横フランジの下流側端部を切り欠いて形成したピン受け部を前記側壁に設けたヒンジピンに係合させて前記揺動の支点とし、
前記駆動機構は、前記単位樋板にそって延びて単位樋板の上流側端部を押し上げ可能のカムを備えるカム支持軸をモータで回転駆動するものであることを特徴とする請求項１記載のパチンコ玉の搬送装置。
【発明の詳細な説明】
【技術分野】
【０００１】
本発明は、遊技島におけるパチンコ玉の搬送装置に関する。
【背景技術】
【０００２】
多数のパチンコ台を横方向に隣接して並べた遊技島には中央部に玉磨き揚送装置を設け、当該玉磨き揚送装置で磨かれたパチンコ玉は、上部に設置した上部タンク内に貯留され、上部タンクから遊技島の末端へ傾斜させて延ばした補給樋を介して各パチンコ台または玉貸機に供給するようになっていた。
【０００３】
上記傾斜させて延ばした補給樋を遊技島の上部に取り付けるためには所定の傾斜角度を確保しなければならず、このため補給樋の上部タンク側端部は末端側の他端よりも３０〜５０ｃｍも高くする必要があった。
この結果、パチンコ台上部で補給樋（搬送装置）を隠すカバー板の高さ寸法が大きくなり、島全体の高さが遊技者に対して圧迫感を与えるという問題があった。
【０００４】
このため、補給樋（搬送装置）の高さを抑え、カバー板の高さを低くできるものとして、例えば特開平６−３９１４６号公報に開示された搬送装置がある。
これは、パチンコ台列にそって略水平方向に搬送ベルトを配置したもので、従来の補給樋のように傾斜させて一端を高くする必要がないので、遊技島の高さを低く抑えることができる。
また他の例として、特開２００４−２７５６７０号公報には、パチンコ台列にそって複数の回転ディスクを隣接して並べた水平搬送装置が示されている。これは互いに逆方向に回転させた隣接する回転ディスク間でパチンコ玉を受け渡ししながら搬送するものである。
【特許文献１】特開平６−３９１４６号公報
【特許文献２】特開２００４−２７５６７０号公報
【発明の開示】
【発明が解決しようとする課題】
【０００５】
しかしながら、特開平６−３９１４６号公報のものは、両端にローラを配置しそのローラ間にベルトを巻き回したコンベア構成であるから、遊技島の上部に設置する作業は面倒で時間がかかるうえ、ベルトの切断、伸びやスリップ発生の可能性があり、パチンコ店内の現地での調整、補修の必要もあるという問題がある。
また特開２００４−２７５６７０号公報のものでは、搬送途中でパチンコ玉同士が詰まってしまった場合回転ディスクが回転できなくなる事態が生じるため、末端までスムーズにパチンコ玉を送ることができず、さらに多数の回転ディスクを連続的に並べて設置する必要があることから施工に時間を要するとともに、コスト高とならざるを得ないという問題がある。
【０００６】
したがって本発明は、上記従来の問題点に鑑み、遊技島全体の高さを低くでき、かつ簡単な構成で安価に実現できるパチンコ玉の搬送装置を提供することを目的とする。
【課題を解決するための手段】
【０００７】
このため、本発明のパチンコ玉の搬送装置は、それぞれ所定長さのユニット補給樋をパチンコ台列方向に並べ、ユニット補給樋は、２つの側壁の間に水平姿勢から揺動可能とした単位樋板を配置するとともに、該単位樋板を揺動させる駆動機構を備えて、隣接する単位樋板が順次揺動して、該揺動により傾斜した単位樋板から隣接の水平姿勢の単位樋板へパチンコ玉を移動させることを順次繰り返すように構成したものとした。
【発明の効果】
【０００８】
パチンコ台列の末端までパチンコ玉を供給する搬送路を複数のユニット補給樋に分割し、ユニット補給樋において単位樋板を揺動させることによりパチンコ玉を移動させるから、長さの短い単位樋板は限定された高さ範囲の中でも十分な傾斜をとることができ、簡単な構成で搬送装置全体の高さ寸法を小さくすることができる。
【発明を実施するための最良の形態】
【０００９】
以下、本発明の実施の形態を実施例により詳細に説明する。
本実施の形態は、それぞれ横に複数のパチンコ台を並べた２面のパチンコ台列を互いに背中合わせにして形成した遊技島に適用したもので、フレームに取り付けて２面のパチンコ台列間の空間上部に配置される。横方向に並べられたパチンコ台間には各パチンコ台に付設された玉貸機が配置されている。
図１は第１の実施例にかかる搬送装置の基本構成を示し、（ａ）は平面図、（ｂ）は側面図である。
不図示の玉磨き揚送装置の上に上部タンク５が設置され、この上部タンク５には揚送されたパチンコ玉が貯留されるようになっている。
【００１０】
搬送装置１は、上部タンク５に一端を接続して、順次ユニット補給樋１０（１０Ａ、１０Ｂ、１０Ｃ）を遊技島の島端へ向けて並べて構成されている。各ユニット補給樋１０はその長さが１台のパチンコ台とそれに付設された玉貸機の幅、すなわちパチンコ台の間隔に対応させてある。
ユニット補給樋１０はパチンコ台列の上に設置されたフレーム６０に支持されている。
【００１１】
各ユニット補給樋１０は側面の基本形が長方形状で平行に配置した２つの側壁１１、１１の間に、当該側壁の間隔に整合する幅を有する複数の単位樋板２０（２０ａ〜２０ｄ）を配置して、全体として横断面がＨ形状をなしている。
ここで、パチンコ玉を搬送する際の上流側、すなわち上部タンク５側を前方、下流側を後方とする。
なお、平行に配置した２つの側壁１１、１１は左右対象であるが、簡単のため同一番号で示す。
【００１２】
フレーム６０は平行に配置された２本の縦部材６１と、縦部材にそって横に並べられたパチンコ台の間隔と同じ間隔で設けられ両縦部材６１をつなぐクロス部材６２を備える。
ユニット補給樋１０はその前後両端において、側壁１１の後述するフランジ１２をクロス部材６２上に載置し、当該フランジ部分でボルト等によりクロス部材６２に固定される。前後に隣接するユニット補給樋１０は、クロス部材６２上で互いにその側壁１１の端縁を突合せして長手方向に並べられる。
【００１３】
図２はユニット補給樋１０の斜視図、図３はユニット補給樋１０の縦断面を拡大して示す図、図４は図３におけるＡ−Ａ矢視拡大図である。
両側壁１１はその下縁に、互いに対向する方向に向きかつ前後方向に延びるフランジ１２を備えている。
両側壁１１における下流側には、それぞれ上縁から矩形形状に切り欠いた玉供給口１４を備えている。各ユニット補給樋１０を挟む幅方向両側にはそれぞれ玉供給口１４に対応させて図示しない貯留ボックスが設けられる。
玉供給口１４を通ってユニット補給樋１０から貯留ボックスへ流れたパチンコ玉は貯留ボックスに一旦滞留したあと、下方に位置する図示しないパチンコ台および玉貸機へ供給される。
【００１４】
ユニット補給樋１０における両側壁１１間には、ヒンジピン１７が設けられて互いの間隔が保持されている。とくに図示はしないが、ヒンジピン１７は両端にねじ部を備え、側壁１１の高さ方向略中間位置に前後方向に一定間隔で設けられたピン孔にそのねじ部を差し込んで外側からナット１９で締め付けることにより、側壁１１に固定される。
あるいは、ねじ部の代わりに、リング溝を備える小軸として、ピン孔に通した後スナップリングをリング溝に嵌め込んで取り付けることもできる。
【００１５】
単位樋板２０は、平坦面の主壁２１の横両端から下方に延びる横フランジ２２を備えて横断面が下に開放したコ字形をなしている。
主壁２１の前端は下方に折り曲げられて、横フランジ２２と同じ幅（高さ）の前フランジ２３となっている。また、横フランジ２２の後端には、Ｕ字形に切り欠いてヒンジピン１７を受容するピン受け部２５が形成されている。
両側壁１１には、当該両側壁１１間の空間に向けて突出するストッパピン１３が前後方向に一定間隔で設けられ、各単位樋板２０の前端近傍における横フランジ２２の下縁を受けて、ヒンジピン１７に後端のピン受け部２５を係合させた単位樋板２０を水平姿勢に保持する。
【００１６】
単位樋板２０は、以下に示すように、上記水平姿勢からヒンジピン１７を支点として、すなわち単位樋板としてはその後端部を支点として、前端側を上方へ揺動可能となる。隣接する単位樋板の間には、一方がヒンジピン１７周りに揺動したときその前端（前フランジ２３）と他方の後端とが干渉しないよう微小な所定間隙が設定されている。
【００１７】
単位樋板２０の下には側壁１１のほぼ全長にわたって、カム支持軸３０が配置されている。
カム支持軸３０はその軸端をベアリング４０のアタッチメント４７に差し込まれて支持されている。
ベアリング４０は、ユニット補給樋１０の後部の両側壁１１に挟まれた空間内において、両側壁１１のフランジ１２の上面に取り付けられたベアリング支持ブラケット５０に支持されている。
ベアリング４０の下方には、両側壁１１のフランジ１２の下面に取り付けられたモータ支持ブラケット５２にモータ５３が支持されている。
モータ５３の出力軸５４にプーリ５５が取り付けられ、このプーリ５５とベアリング４０のプーリ４３の間にベルト５６が掛けられている。
【００１８】
図５はカム支持軸３０とその駆動系を示す斜視図である。
カム支持軸３０はその長手方向に一定間隔でカムローラ３３を備え、各ヒンジピン１７に後端を支持させた単位樋板２０ａ〜２０ｄの各前フランジ２３の下縁と係合可能に設定されている。カム支持軸３０は断面が正方形で、隣接するカムローラ３３は、カム支持軸３０の背中合わせの面に固定されたブラケット３２に支持されて、カム支持軸３０の軸周り方向に順次１８０°ずつずれている。カムローラ３３の回転軸はカム支持軸３０と平行である。
なお、図５には要部のみを取り出して示している。
【００１９】
図６はベアリング４０の詳細を示す。
ベアリング４０（ユニット補給樋間で区別するときはユニット補給樋と同じ添え字を付する）は、ベアリング支持ブラケット５０に固定されたアウタレース４１と、アウタレース４１に対して回転可能なインナレース４２とを有する。
インナレース４２は後方側にプーリ４３を備え、プーリ４３の後端面にはアタッチメント受け部４４が形成されている。アタッチメント受け部４４は、軸方向から見たときインナレース４２の軸心を中心とする平面形状が４画などの多角形状をした凹部である。アタッチメント受け部４４はその底壁（すなわち凹部の底壁）に軸心に一致させて形成された雌ねじ４５を備えている。
【００２０】
インナレース４２の前端面にもアタッチメント受け部４６が形成されている。アタッチメント受け部４６の形状はアタッチメント受け部４４と同一で、軸方向から透視したとき両アタッチメント受け部４４、４６の平面形状が互いに整合して重なるように設定されている。
アタッチメント受け部４４、４６にはそれぞれ整合する突部を嵌め込んでアタッチメント４７が取り付けられる。アタッチメント４７は、突部と反対側にカム支持軸３０の端部形状（断面正方形）に整合する形状の支持穴４８を備え、支持穴４８の底壁に設けた孔を通してボルト４９をアタッチメント受け部４４、４６の底壁の雌ねじ４５にねじ込むことにより、インナレース４２と一体となる。
【００２１】
カム支持軸３０は、その一端（後端）が当該カム支持軸３０が対応する例えばユニット補給樋１０Ｂのベアリング４０Ｂにおける前側のアタッチメント４７の支持穴４８に差し込まれ、他端（前端）が前側に隣接するユニット補給樋１０Ａのベアリング４０Ａにおける後側（プーリ側）のアタッチメント４７の支持穴４８に差し込まれて支持される。
なお、上部タンク５に直接接続するユニット補給樋１０Ａのカム支持軸３０の前端も、とくに図示しないが、上部タンク５内に回転可能に設けたアタッチメント（４７）に差し込んで支持される。
また、遊技島の島端のパチンコ台に対応するユニット補給樋１０においては、プーリ４３のアタッチメント４７は不要となるから、取り外してもよい。
【００２２】
なお、隣接のユニット補給樋１０におけるプーリ４３、５５やベルト５６がクロス部材６２を避けて側壁１１の端縁から離れた位置に設定されているため、プーリ４３のアタッチメント４７に差し込まれるカム支持軸３０の前端は当該隣接のユニット補給樋１０内へ突出して延びている。
また、図示ではユニット補給樋１０における最も前側の単位樋板２０ａの前端も隣接のユニット補給樋１０内へ突出しているが、単位樋板２０を支持するヒンジピン１７の設定位置によって単位樋板２０の前端を側壁１１の前端とほぼ一致させることにより、突出しないようにすることもできる。
【００２３】
以上の構成により、モータ５３が駆動されるとその回転がベルト５６を介してベアリング４０のインナレース４２に伝達され、アタッチメント４７がインナレース４２とともに回転して、カム支持軸３０を回転させる。
上記カムローラ３３を備えるカム支持軸３０をモータ５３によりベルト５６、プーリ４３を介して回転駆動し、カムローラ３３で単位樋板２０ａ〜２０ｄを交互に揺動させる構成が、発明における駆動機構を形成している。
【００２４】
カム支持軸３０の回転に伴って、カムローラ３３が単位樋板２０の前端を押し上げ、単位樋板２０は後端のヒンジピン１７を支点として揺動する。そして、各単位樋板２０は前後に隣接する単位樋板２０と交互に揺動し、例えば一方の単位樋板２０ｂが１往復の揺動をする間、これに隣接する単位樋板２０ａや２０ｃは、前部をストッパピン１３に支持されて水平状態を維持する。
【００２５】
単位樋板２０の揺動は後端のヒンジピン１７を支点として前端が上下するから、まず上流側の単位樋板２０ａが水平状態のときに当該単位樋板２０ａ上に供給されたパチンコ玉は、次に単位樋板２０ａの前端が持ち上げられて傾斜するとき、隣接の単位樋板２０ｂが水平状態となるから、単位樋板２０ａ上を転動して単位樋板２０ｂ上へ移動する。
このとき、単位樋板２０ｂの下流側に隣接する単位樋板２０ｃは単位樋板２０ａと同じく前端が持ち上げられているから、単位樋板２０ａから単位樋板２０ｂへ流れ込んだパチンコ玉は、一挙に単位樋板２０ｃまで移動することなく、単位樋板２０ｂ上に保留される。
【００２６】
そしてカム支持軸３０がさらに回転して、単位樋板２０ｂが揺動して傾斜すると、連動して単位樋板２０ｃが水平状態となるから、単位樋板２０ｂ上に保留されていたパチンコ玉は、単位樋板２０ｃ上へ移動する。
以上の作動が単位樋板２０ａから２０ｄの間で順次繰り返されて、ユニット補給樋１０内では、パチンコ玉が上流から下流側へ搬送される。
単位樋板２０ｄにまで搬送されたパチンコ玉の一部は、側壁１１に設けられた玉供給口１４から貯留ボックスへ流れ、対応するパチンコ台等へ供給される。
【００２７】
搬送装置１は以上の構造になる複数のユニット補給樋１０を順次連結して構成される。そして、カム支持軸３０の前端を隣接ユニット補給樋のプーリ４３のアタッチメント４７に差し込むにあたっては、アタッチメント４７、４７を介して連結されたカム支持軸３０、３０同士間の隣接するカムローラ３３が軸周り方向に１８０°ずれるようにする。
これにより、ユニット補給樋の連結部を挟んで隣接する単位樋板２０ｄ、２０ａも、単一ユニット補給樋１０内におけると同じく、交互に揺動するものとなるから、途中の必要な貯留ボックスへ各玉供給口１４から適宜供給しながら、遊技島の上部タンク５から島端のパチンコ台に至るまで、滑らかにパチンコ玉を搬送することができる。
【００２８】
実施の形態は以上のように構成され、パチンコ台の間隔に対応する長さを有するユニット補給樋１０（１０Ａ、１０Ｂ、・・・）をパチンコ台列方向に並べ、各ユニット補給樋は、側壁１１、１１の間にそれぞれ水平姿勢から揺動可能とした単位樋板２０を配置するとともに、単位樋板を揺動させる駆動機構を備えて、隣接する単位樋板が順次揺動して、該揺動により傾斜した単位樋板から隣接の水平姿勢の単位樋板へパチンコ玉を移動させることを順次繰り返すように構成したので、長さの短い単位樋板２０を必要なだけ傾斜させてもその傾斜高さは低くて済む。したがって、パチンコ台列の末端まで延ばした１本の補給樋を傾斜させるものと比較して、ユニット補給樋の高さも低くてよいから、搬送装置全体の高さ寸法を小さくすることができる。
簡単構造のユニット補給樋１０を用いるので、コンベア構成や回転ディスクを用いるものに比較して調整作業の必要性や劣化の問題がなく、コストも低く抑えられる。
しかも、単位樋板２０の傾斜を用いたパチンコ玉の自重によって移動するので、空転もなく、確実な搬送動作が得られるとともに、単位樋板２０上にパチンコ玉が一杯の状態でも噛み込みの心配もない。
【００２９】
単位樋板２０は側壁１１と平行な横フランジ２２を備え、該横フランジの下流側端部を切り欠いて形成したピン受け部２５を側壁１１に設けたヒンジピン１７に係合させて揺動の支点とし、駆動機構は単位樋板２０にそって延びて単位樋板の上流側端部である前フランジ２３の下縁を順次交互に押し上げ可能のカムローラ３３を備えるカム支持軸３０をモータ５３で回転駆動するものとしたので、構造が簡単であり、また、ユニット補給樋１０をフレーム６０に固定した状態でも、単位樋板２０が着脱自在であり、メインテナンスや交換が容易である。
【００３０】
ユニット補給樋１０の長さをパチンコ台の間隔に対応させてあり、さらに側壁１１における下流側に、単位樋板２０上からパチンコ台へパチンコ玉を供給する玉供給口１４を設けてあるるので、パチンコ台の数に合わせて設置すればよく、パチンコ台を増設する場合も増設数に合わせて追加することができる。
【００３１】
つぎに、図７はユニット補給樋の変形例を示す。
ユニット補給樋１０’は側壁１１の代わりに側壁７０を有する。なお、単位樋板２０を挟む側壁７０、７０は左右対称であるが、簡単のため同一番号で示す。
側壁７０は、側壁１１と同様にヒンジピン１７を張り渡す第１壁７１と、第１壁７１より左右外方へオフセットして第１壁７１と平行に立ち上がった第３壁７３と、第１壁７１と第３壁７３をつなぐ第２壁７２からなっている。
第３壁７３における下流側には、玉供給口１４を備えている。
第２壁７２は玉供給口１４の前側（上流側）縁の位置から前端にかけて高くなるように直線的に傾斜して、前端では揺動して最大傾斜となった最上流側の単位樋板２０ａの前端の高さよりも高くなっている。
【００３２】
第２壁７２は第１壁７１に対しては直角に曲がっており、左右方向では水平である。
玉供給口１４の前側縁の位置から後端方向にかけては第２壁７２は傾斜せず、第１壁７１の上縁は水平姿勢の単位樋板２０ｄの高さと一致している。しかし、この玉供給口１４の前側縁の位置から後端方向にかけての第２壁７２は左右外方に向かって玉供給口１４の下縁の高さまで下向きに傾斜した外方傾斜部７４となっている。
第２壁７２の前端は下方へ折り曲げられて、隣接のユニット補給樋１０’における第２壁の外方傾斜部７４の高さ位置まで下がるストッパ壁７５となっている。
その他の構成は第１の実施例と同じである。
【００３３】
この変形例によれば、第１の実施例の効果に加えて、さらに次の効果が得られる。
すなわち、隣接のユニット補給樋から流入したパチンコ玉は、単位樋板２０の左右両側に第２壁７２が設けられているので、上流側の単位樋板２０ａ、２０ｂなどから一部のパチンコ玉は第２壁７２上へこぼれる。第２壁７２が下流側へ下り傾斜していることから、第２壁７２上へこぼれたパチンコ玉は単位樋板２０ｃや２０ｄをバイパスして転動し速やかに下流端へ至る。下流端の外方傾斜部７４に至ったパチンコ玉は、下流側隣接のユニット補給樋の第２壁の前端から下がるストッパ壁７５によって止められるとともに、外方傾斜部７４が玉供給口１４へ向かって傾斜しているため、当該玉供給口１４へ効率よく案内されて当該ユニット補給樋に対応するパチンコ台等に供給される。
【００３４】
つぎに、第２の実施例について説明する。
これは、ユニット補給樋における単位樋板の揺動を第１の実施例では隣接する単位樋板を１つおきに揺動させるに対して、単位樋板を２つおきに揺動させるようにしたものである。
図８は図５に対応してカム支持軸とその駆動系を示す斜視図である。図９は図３に対応してユニット補給樋の構成を示す縦断面図である。
ユニット補給樋１００におけるカム支持軸３０Ａは、その軸端をベアリング４０のアタッチメント４７Ａに差し込まれて支持されている。
カム支持軸３０Ａには、各ヒンジピン１７に後端を支持させた単位樋板２０ａ〜２０ｄの各前フランジ２３の下縁と係合可能に、カムローラ３３が一定間隔で取り付けられている。
【００３５】
カム支持軸３０Ａは断面が正六角形で、隣接するカムローラ３３は、カム支持軸３０の互いに１つおきに隣接する面に順次固定された各ブラケット３２に支持されて、カム支持軸３０Ａの軸周り方向に１２０°ずつずれている。カムローラ３３の回転軸はカム支持軸３０Ａと平行である。
アタッチメント４７Ａは、図示省略するが、ベアリング４０のアタッチメント受け部４４、４６（図６参照）に整合する突部と反対側に、支持穴４８の代わりに、カム支持軸３０Ａの端部形状（断面正六角形）に整合する形状の支持穴を備えている。
ユニット補給樋１００のその他の構成は第１の実施例におけるユニット補給樋１０と同じである。
【００３６】
複数のユニット補給樋１００を順次連結して搬送装置１Ａを構成する際、カム支持軸３０Ａの前端を上流側隣接ユニット補給樋のプーリ４３のアタッチメント４７Ａに差し込むにあたっては、アタッチメント４７Ａ、４７Ａを介して連結されたカム支持軸３０Ａ、３０Ａ同士間の隣接するカムローラ３３が軸周り同方向に１２０°ずれるようにする。
【００３７】
図１０は上述の構成における単位樋板の揺動態様を示す。
カム支持軸３０Ａの回転に伴って、カムローラ３３が単位樋板２０の前端を押し上げ、単位樋板２０は後端のヒンジピン１７を支点として揺動する。なお、カム支持軸３０Ａは図８に矢示Ｒで示す方向に回転する。
例えば図１０の（ａ）に示すように、ユニット補給樋１００Ｂの単位樋板２０ｂが１往復の揺動をする間、上流側に隣接する単位樋板２０ａと、下流側に続く単位樋板２０ｃおよび２０ｄは、前部をストッパピン１３（図９参照）に支持されて水平状態を維持する。そして、ユニット補給樋１００Ａでは、ユニット補給樋１００Ｂの水平状態の単位樋板２０ａに隣接する単位樋板２０ｄが水平状態で、単位樋板２０ｃがユニット補給樋１００Ｂの単位樋板２０ｂと同期して揺動するとともに、その上流側に続く単位樋板２０ｂおよび２０ａが水平状態を維持する。
【００３８】
図１０の（ａ）の状態からカム支持軸３０Ａの回転が１２０°進むと、（ｂ）の状態に変わる。ここでは、ユニット補給樋１００Ｂにおいて、単位樋板２０ａと２０ｄが揺動して傾斜し、単位樋板２０ｂおよび２０ｃが水平状態となっている。ユニット補給樋１００Ａにおいては、単位樋板２０ｂが傾斜し、単位樋板２０ａ、２０ｃおよび２０ｄが水平状態となる。
【００３９】
カム支持軸３０Ａがさらに１２０°回転すると、（ｃ）の状態に変わる。すなわち、ユニット補給樋１００Ｂでは、単位樋板２０ｃが傾斜するとともに、単位樋板２０ａ、２０ｂおよび２０ｄが水平状態となる。ユニット補給樋１００Ａでは、ユニット補給樋１００Ｂの単位樋板２０ｃと同期して単位樋板２０ａおよび２０ｄが揺動して傾斜するとともに、単位樋板２０ｂおよび２０ｃが水平状態を維持する。
こうして、ユニット補給樋１００を順次連結して構成した搬送装置１Ａでは、単位樋板２０の揺動タイミングを隣接する単位樋板間で１つずつ順次移動させながら、揺動する単位樋板の下流側に隣接する２つの単位樋板を水平状態とするよう、単位樋板が揺動していく。
【００４０】
単位樋板２０が揺動して傾斜すると当該単位樋板上のパチンコ玉は転動して下流側に隣接する単位樋板２０へ向かって移動するが、転動を開始したパチンコ玉は単位樋板２０が揺動を終了して水平状態に戻っても慣性で転動を継続する。
本実施例によれば、例えば図１０の（ａ）から（ｂ）へ変化した場合に、ユニット補給樋１００Ｂにおいて水平状態に戻った単位樋板２０ｂの下流側に隣接する単位樋板２０ｃも水平状態とされるから、第１の実施例に比較して、単位樋板２０ｂ上を慣性で転動するパチンコ玉は障害を受けることなく単位樋板２０ｃへの移動を継続することができるという利点を有する。
また、カム支持軸３０、３０Ａの回転速度を同一とした場合に、同時に傾斜状態となる単位樋板２０の枚数、すなわち単位樋板を揺動させる頻度が低くなるので、モータ負荷も軽減される。
【００４１】
つぎに第３の実施例について説明する。
これは、単位樋板を３つおきに揺動させるようにしたものである。
図１１は図５に対応してカム支持軸とその駆動系を示す斜視図である。図１２は図３に対応してユニット補給樋の構成を示す縦断面図である。
ユニット補給樋１１０におけるカム支持軸３０は、第１の実施例のものと同じ断面正方形で、その軸端をベアリング４０のアタッチメント４７に差し込まれて支持されている。
カム支持軸３０には、各ヒンジピン１７に後端を支持させた単位樋板２０ａ〜２０ｄの各前フランジ２３の下縁と係合可能に、カムローラ３３が一定間隔で取り付けられているが、隣接するカムローラ３３は、カム支持軸３０の互いに隣接する面に順次固定された各ブラケット３２に支持されて、カム支持軸３０の軸周り方向に９０°ずつずれている。カムローラ３３の回転軸はカム支持軸３０と平行である。
ユニット補給樋１１０のその他の構成は第１の実施例におけるユニット補給樋１０と同じである。
【００４２】
複数のユニット補給樋１１０を順次連結して搬送装置１Ｂを構成する際、カム支持軸３０の前端を上流側隣接ユニット補給樋のプーリ４３のアタッチメント４７に差し込むにあたっては、アタッチメント４７、４７を介して連結されたカム支持軸３０、３０同士間の隣接するカムローラ３３が軸周り同方向に９０°ずれるようにする。
【００４３】
図１３は上述の構成における単位樋板の揺動態様を示す。
カム支持軸３０の回転に伴って、カムローラ３３が単位樋板２０の前端を押し上げ、単位樋板２０は後端のヒンジピン１７を支点として揺動する。
例えば（ａ）に示すように、ユニット補給樋１１０Ｂの単位樋板２０ａが１往復の揺動をする間、その下流側に順次隣接する単位樋板２０ｂ、２０ｃおよび２０ｄは、前部をストッパピン１３（図１２参照）に支持されて水平状態を維持する。そして、ユニット補給樋１１０Ａでは、ユニット補給樋１１０Ｂの揺動する単位樋板２０ａに隣接する単位樋板２０ｄ、２０ｃおよび２０ｂが水平状態で、単位樋板２０ａがユニット補給樋１１０Ｂの単位樋板２０ａと同期して揺動する。
【００４４】
図１３の（ａ）の状態から図１１に矢示Ｒで示す方向にカム支持軸３０の回転が９０°進むと、（ｂ）の状態に変わる。ここでは、ユニット補給樋１１０Ｂにおいて、単位樋板２０ｄが揺動して傾斜し、その上流側に順次続く単位樋板２０ｃ、２０ｂおよび２０ａが水平状態となっている。ユニット補給樋１１０Ａにおいても、単位樋板２０ｄが傾斜し、単位樋板２０ｃ、２０ｂおよび２０ａが水平状態となる。
【００４５】
カム支持軸３０がさらに９０°回転すると、（ｃ）の状態に変わる。すなわち、ユニット補給樋１１０Ｂでは、単位樋板２０ｃが傾斜するとともに、単位樋板２０ａ、２０ｂおよび２０ｄが水平状態となる。ユニット補給樋１１０Ａでは、ユニット補給樋１１０Ｂの単位樋板２０ｃと同期して単位樋板２０ｃが揺動して傾斜するとともに、単位樋板２０ａ、２０ｂおよび２０ｄが水平状態を維持する。
こうして、ユニット補給樋１１０を順次連結して構成した搬送装置１Ｂでは、単位樋板２０の揺動タイミングを隣接する単位樋板間で１つずつ順次移動させながら、揺動する単位樋板の下流側に隣接する３つの単位樋板を水平状態とするよう、単位樋板が揺動していく。
【００４６】
本実施例によっても、揺動状態から水平状態に戻った単位樋板２０の下流側に隣接する単位樋板も水平状態とされるから、第２の実施例と同様に、水平状態に戻ったばかりの単位樋板上を慣性で転動するパチンコ玉が障害を受けることなく下流側の単位樋板への移動を継続することができるという利点を有するとともに、モータ負荷も軽減される。
【００４７】
なお、各実施例および変形例ではユニット補給樋１０の長さをパチンコ台の間隔に対応させたが、これに限定されず、例えばパチンコ台２台ごとの間隔に対応させるなど、ユニット補給樋の長さは任意に設定することができる。
また、ユニット補給樋１０ごとに駆動機構の動力源としてモータ５３を備えるものとしたが、隣接するユニット補給樋のカム支持軸３０はベアリング４０のアタッチメント４７を介して互いに連結されるので、所定の複数個のユニット補給樋に対して１機のモータを設定するものとしてもよい。
【００４８】
１つのユニット補給樋について単位樋板２０を４枚設けた例を示したが、単位樋板の枚数は１枚以上ユニット補給樋の長さ等に応じて適宜に設定することができる。
また、モータ５３によるカム支持軸３０の回転駆動はプーリ５５、４３とベルト５６を介して行ったが、歯車を介して行うものとしてもよい。
複数の単位樋板２０を交互に揺動させるため、カム支持軸３０には単位樋板の前フランジ２３の下縁を押し上げるカムローラ３３を設けたものとしたが、代わりに単位樋板の主壁２１または前フランジ２３と摺接する偏心カムを用いることもできる。
【００４９】
また、各実施例および変形例では、単位樋板２０を支持するヒンジピン１７を両側壁１１間に張り渡し、ストッパピン１３は側壁から必要最小限だけ突出させたものとしたが、これに限らず、ストッパピン１３を両側壁１１間に張り渡し、あるいはヒンジピン１７を側壁から必要最小限だけ突出させる構成としてもよい。
【００５０】
単位樋板２０は、横フランジ２２を主壁２１の横両端から下方に延びるものとしたが、単位樋板単体で樋形状をなすものとしてもよい。この場合は、横フランジの下流側の一部を切り欠いて、玉供給口１４への連通口とする。
さらに、単位樋板２０の主壁２１は平坦面としたが、左右方向の幅中心を頂点として両側を傾斜面とした横断面屋根形状とすることもでき、これにより単位樋板上のパチンコ玉を玉供給口１４へ誘導し、あるいは変形例においては第２壁７２へも滑らかに誘導することができる。
【００５１】
また、各実施例および変形例は２面のパチンコ台列を互いに背中合わせにして形成した遊技島に適用した例について示したが、本発明は片面だけの遊技島にももちろん適用することができる。
【図面の簡単な説明】
【００５２】
【図１】本発明の第１の実施例の全体構成を示す図である。
【図２】ユニット補給樋の構成を示す斜視図である。
【図３】ユニット補給樋の構成を示す拡大縦断面図である。
【図４】図３におけるＡ−Ａ矢視拡大図である。
【図５】カム支持軸とその駆動系を示す斜視図である。
【図６】ベアリングの詳細を示す拡大断面図である。
【図７】ユニット補給樋の変形例を示す斜視図である。
【図８】第２の実施例におけるカム支持軸とその駆動系を示す斜視図である。
【図９】第２の実施例におけるユニット補給樋の構成を示す拡大縦断面図である。
【図１０】第２の実施例における単位樋板の揺動態様を示す説明図である。
【図１１】第３の実施例におけるカム支持軸とその駆動系を示す斜視図である。
【図１２】第３の実施例におけるユニット補給樋の構成を示す拡大縦断面図である。
【図１３】第３の実施例における単位樋板の揺動態様を示す説明図である。
【符号の説明】
【００５３】
１、１Ａ、１Ｂ    搬送装置
５      上部タンク
１０、１０Ａ、１０Ｂ、１０Ｃ、１０’ 、１００、１００Ａ、１００Ｂ、１１０、１１０Ａ、１１０Ｂ    ユニット補給樋
１１、７０    側壁
１２    フランジ
１３    ストッパピン
１４    玉供給口
１７    ヒンジピン
２０、２０ａ〜２０ｄ    単位樋板
２１    主壁
２２    横フランジ
２３    前フランジ
２５    ピン受け部
３０、３０Ａ    カム支持軸
３２    ブラケット
３３    カムローラ（カム）
４０    ベアリング
４１    アウタレース
４２    インナレース
４３、５５    プーリ
４４、４６    アタッチメント受け部
４７、４８Ａ    アタッチメント
４８    支持穴
５０    ベアリング支持ブラケット
５２    モータ支持ブラケット
５３    モータ
５４    出力軸
５６    ベルト
６０    フレーム
６１    縦部材
６２    クロス部材
７１    第１壁
７２    第２壁
７３    第３壁
７４    外方傾斜部
７５    ストッパ壁
【図１】
2007229094.tif 000003
【図２】
2007229094.tif 000004
【図３】
2007229094.tif 000005
【図４】
2007229094.tif 000006
【図５】
2007229094.tif 000007
【図６】
2007229094.tif 000008
【図７】
2007229094.tif 000009
【図８】
2007229094.tif 000010
【図９】
2007229094.tif 000011
【図１０】
2007229094.tif 000012
【図１１】
2007229094.tif 000013
【図１２】
2007229094.tif 000014
【図１３】
2007229094.tif 000015